(57)【要約】【課題】火山灰等を含む粒径の細かい砂塵を、フィルターが目詰まりすることなく、したがって吸引力を低下させることなく集塵し、排空気と共に細かい砂塵が再放出されることを抑制できる火山灰等の除去用掃除機を提供する。小型軽量で使い勝手の良い家庭向けに適した火山灰等の除去用掃除機を提供する。【解決手段】送風機３と吸込ヘッド４と操作ハンドル５を備える掃除機１において、吸込ヘッド４から吸引された火山灰等を含む塵のうち粗塵を捕集する粗塵フィルター16を送風機３の前段側に配置し、送風機３の後段側に排空気と共に排出された細塵を捕集する細塵フィルター22を配置し、細塵フィルターの下方位置に、吸引動作停止時に細塵フィルターから細塵を集塵せしめる集塵袋23を取り付ける。細塵フィルターと集塵袋の間に、吸引動作停止時に弁を開いて細塵フィルターから細塵を集塵袋に落下させる逆止弁19を設ける。細塵フィルターは排気カバー25で被覆する。【選択図】図１
2016007362.tif 000002
【特許請求の範囲】
【請求項１】
送風機と吸込ヘッドと操作ハンドルを備える掃除機において、吸込ヘッドから吸引された火山灰等を含む塵のうち粗塵を捕集する粗塵フィルターが送風機の前段側に配置され、送風機の後段側に排空気と共に排出された細塵を捕集する細塵フィルターが配置され、細塵フィルターよりも下方位置に、吸引動作停止時に細塵フィルターに捕集された集塵物を集塵せしめる集塵袋が取り付けられていることを特徴とする火山灰等の除去用掃除機。
【請求項２】
前記粗塵フィルターのメッシュサイズが粒径２ｍｍ以下の粒子を通過できるサイズであることを特徴とする請求項１記載の火山灰等の除去用掃除機。
【請求項３】
前記細塵フィルターが縦長であって、同細塵フィルターの最長辺が、縦向きの送風機の最長辺よりも長く、かつ、掃除機本体の最長辺よりも短く設定されていることを特徴とする請求項１または請求項２に記載の火山灰等の除去用掃除機。
【請求項４】
前記細塵フィルターの外側に、有頭筒状で下端に排空気口を形成する排気カバーが被覆されていることを特徴とする請求項１ないし請求項３のいずれか一項に記載の火山灰等の除去用掃除機。
【請求項５】
細塵フィルターと集塵袋の間に、送風機の吸引動作時に弁を閉じて送風機から排出された細塵を細塵フィルターへ案内し、送風機の吸引動作停止時に弁を開いて細塵フィルターに捕集された集塵物を下方の集塵袋に落下させる逆止弁が介在されていることを特徴とする請求項１ないし請求項４のいずれか一項に記載の火山灰等の除去用掃除機。
【請求項６】
送風機と吸込ヘッドと操作ハンドルを備える掃除機の掃除機本体が縦向きのスティックタイプであることを特徴とする請求項１ないし請求項５のいずれか一項に記載の火山灰等の除去用掃除機。
【発明の詳細な説明】
【技術分野】
【０００１】
本発明は、火山灰等の細かい砂塵を吸引しても吸引力の低下を抑制し、連続集塵できる掃除機に関するものである。
【背景技術】
【０００２】
近年、南九州の桜島や新燃岳といった一部活火山の活動が活発化しており、噴火、爆発、噴煙の規模や頻度も多く、これに伴う火山灰の影響が問題となっている。
【０００３】
特に人々が活動する都市部に火山灰が降る（以下、「降灰」という）と、生活環境への影響が大きいため、降雪地域の除雪同様、降灰地域においては火山灰の除去、清掃は深刻な問題である。幹線道路などの広範囲の清掃としては、除雪車のように火山灰を吸引して清掃する大型清掃車（ロードスイーパー）があるが、ロードスイーパーは広範囲の火山灰を大まかに除去することが目的であり、ロードスイーパーの通過で空気中に巻き上がり再び降積った大量の火山灰や、道路端のワダチやロードスイーパーが通れない狭い路地裏及び各家庭や事業所周辺などは雪かき同様人力で清掃する他に方法はなく、箒、塵取りによる古典的な掃き掃除、及び大量の水道水を用いた流し洗いが主流となっている。
【０００４】
上記清掃方法の問題としては、火山灰の粒子が細かく軽いため、清掃中に火山灰が舞い上がり、作業者及び周辺にいる人が吸込んでしまうと健康被害の恐れがあるということである。もう一つの問題としては、ロードスイーパーの清掃時と同様、清掃後しばらくすると空気中に舞い上がり拡散した火山灰の降灰に再び見舞われるということである。また貴重な水道水の使い過ぎにより、水不足が発生する場合もある。
【０００５】
好ましい掃除方法としては、一般家庭の掃除機のような集塵機で火山灰を吸引回収し、その排空気がきれいであることが理想であるが、残念ながら火山灰除去に適した集塵機が無い。玄関やバルコニーの出入口など一部の狭い範囲の少量の火山灰を清掃する際に家庭用掃除機を使用する場合もあるが、一般の家庭用掃除機などで積極的に火山灰を吸引すると、砂塵の粒径フィルターの目詰まりが生じてしまい、フィルターの集塵容量に十分な余裕があるにもかかわらず吸引力が低下するという問題が生じる。これは、一般的に砂の粒径が数百μｍ〜数ｍｍであるのに対し、火山から少し離れた都市部周辺に降る火山灰の粒径は数十μｍ前後とはるかに細かいためである。
【０００６】
また、フィルターを兼ねる集塵袋に集塵された火山灰を吸引空気が通過する際に生じる圧力損失は一般的室内ゴミや砂の場合よりはるかに大きいことより、集塵量の増加に伴う吸引力の低下が著しいという問題も生じる。これも火山灰の粒径が小さいことに起因している。このように吸引力が低下した状態では清掃できないだけでなく、連続使用し続けようとすると送風機の負荷や発熱などによる故障が生じてしまう。
【０００７】
一方、火山灰が目詰まりしにくい目の粗い粗塵フィルターだけを用いた安価な掃除機や、フィルターを有しないサイクロン型の掃除機は火山灰の目詰まりによる吸引力の低下や送風機の故障のリスクは低いが、粒子の細かい火山灰に対する捕集能力が劣るため、大量の火山灰が排空気と一緒に排出されるという問題があり、火山灰に対しては掃除機本来の機能を果たさない。すなわち、フィルターの目詰まりと排空気への火山灰排出の問題はトレードオフの関係にあり、基本的に家庭用掃除機では火山灰を清掃することができない。
【０００８】
また、フィルターの表面積や集塵容量が大きい屋外用掃除機や集塵機などは、前述の問題が生じるまでの時間がある程度稼げるため、火山灰のある程度の清掃は可能ではあるが、集塵フィルターの基本的構成は家庭用掃除機と同じであることより、想定される問題は同じで最終的には目詰まりや故障のリスクがある。また、掃除機全体の構造が必然的に大きくなってしまうことより、重量が重く持ち運びや狭い所での使い勝手が悪く、お年寄りや子供には扱いにくいなどの別な問題が大きい。いずれにしても、火山灰清掃に適した家庭用掃除機が存在しないのが現状である。
【０００９】
図４に従来の一般的家庭用掃除機の概略構造図例を示す。図４に示す一般的家庭用掃除機は、送風機の前段に配置されたフィルターがゴミなどの集塵袋（例えば紙パックなど）を兼ねた構造となっている（例えば特許文献１〜３参照）。このフィルターの後段に配置されるフィルターは各掃除機メーカーの様々な思想や目的によるもので、例えば送風機の保護や排空気中のダストレベルを空気清浄機並みに下げることなどである。
【００１０】
集塵目的のフィルターが送風機前段に配置されることより、フィルターの大きさは必然的に掃除機本体容量の制約を受けフィルター表面積を広く確保することができず、火山灰のように粒径の細かい砂塵を吸引すると、表面積の小さいフィルターはすぐに目詰まりしてしまい、直ちに吸引力が低下してしまう。またフィルターが集塵袋（紙パックなど）を兼ねた構造となっていることより、フィルター内に集塵される量に応じて吸引空気の圧力損失も大きくなり、吸引力が低下していく。更に、このように空気の流れがない状態で使用し続けると送風機のモーターの発熱が高まり故障しやすくなるという問題も生じる。
【００１１】
すなわち、一般的家庭用掃除機で火山灰などの砂塵を吸引すると、火山灰が排空気と一緒に再放出されにくい設計となってはいるが、その反面フィルターが目詰まりしたり、捕集した火山灰による圧力損失で吸引力が低下したり、更には送風機モーターが故障しやすい構造となっている。
【先行技術文献】
【特許文献】
【００１２】
【特許文献１】特開平５−２６１０３３号公報
【特許文献２】特開平８−２４１８７号公報
【特許文献３】特開２００５−１９２８３２号公報
【発明の概要】
【発明が解決しようとする課題】
【００１３】
本発明は上記各課題に鑑みてなされたもので、火山灰等を含む粒径の細かい砂塵を、フィルターが目詰まりすることなく、したがって吸引力を低下させることなく集塵し、また、排空気と共に細かい砂塵が再放出されることを抑制できる火山灰等の除去用掃除機を提供すること、また、小型軽量で使い勝手の良い家庭向けに適した火山灰等の除去用掃除機を提供することを目的とする。
【課題を解決するための手段】
【００１４】
上記の課題を解決するために、本発明は、送風機と吸込ヘッドと操作ハンドルを備える掃除機において、吸込ヘッドから吸引された火山灰等を含む塵のうち粗塵を捕集する粗塵フィルターを送風機の前段側に配置し、送風機の後段側に排空気と共に排出された細塵を捕集する細塵フィルターを配置し、細塵フィルターよりも下方位置に、吸引動作停止時に細塵フィルターに捕集された細塵を集塵せしめる集塵袋を取り付けたことを主要な特徴とする。
【００１５】
本発明によると、火山灰等の細塵を捕集する細塵フィルターを送風機の前段に配置するとすぐに目詰まりして吸引力が低下してしまうが、送風機の後段側に配置したため、そのようなことがない。また、細塵フィルター自体を集塵袋とするのではなく、細塵フィルターとは別に集塵袋を細塵フィルターの下方位置に取り付け、吸引動作停止時に細塵フィルターで捕集された集塵物を落下により下方の集塵袋に排出し集塵せしめる。そして、集塵物の排出動作により必然的に細塵フィルターのクリーニングが行われることで、再び送風機を吸引動作させた際の細塵フィルターの目詰まりが抑制されるとともに集塵物による圧力損失の低下を解消できる。
【００１６】
また、細塵フィルターを、送風機の筐体中に収納配置せず、外側に配置するというフィルター配置の自由度の高まりにより、フィルターの大きさ及びフィルターの表面積を大きくすることに伴って送風機周辺の構造も大きくなるという問題がなくなり、掃除機本体の大きさと重量を小型化、軽量化できる。一方、フィルターのサイズを大きくできる分、集塵容量も大きくすることができ、同時に集塵物による閉塞や圧損を抑制でき、更にフィルター面積を大きくできた分、目詰まりも生じにくくなるため、集塵能力は格段に高くなる。
【００１７】
一般的には、製品のデザイン性や完成度を高めるためにフィルターや集塵袋などの消耗部品はすべて製品の筐体内に収納する設計がとられるが、吸引能力や集塵能力など掃除機としての基本機能を重視しフィルターを大きくしたりすると製品本体の大きさが大きくなり、重量は重くなり、結果的に使い勝手が悪い大型の掃除機となったりする。これに対し、本発明の場合は、フィルターや集塵袋など頻繁に交換、処分する消耗部品を送風機の筐体の外に配置するため、掃除機本体を大きくする必要がなく、小型軽量で使い勝手の良い、例えばスティックタイプの構造とすることができる。
【００１８】
本発明は、粗塵フィルターのメッシュサイズを直径２ｍｍ以下の粒子を通過できるサイズとしたことを第２の特徴とする。細塵フィルターのメッシュサイズは、直径０．３μｍ以上の粒子を捕集できるサイズであることが好ましい。
【００１９】
本発明は、前記細塵フィルターを縦長であって、同細塵フィルターの最長辺を、縦向きの送風機の最長辺よりも長く、かつ、掃除機本体の最長辺よりも短く設定したことを第３の特徴とする。
【００２０】
本発明は、前記細塵フィルターの外側に、有頭筒状で下端に排空気口を形成する排気カバーを被覆したことを第４の特徴とする。
【００２１】
本発明は、細塵フィルターと集塵袋の間に、送風機の吸引動作時に弁を閉じて送風機から排出された細塵を細塵フィルターへ案内し、送風機の吸引動作停止時に弁を開いて細塵フィルターに捕集された集塵物を下方の集塵袋に落下させる逆止弁を介在させたことを第５の特徴とする。
【００２２】
本発明は、送風機と吸込ヘッドと操作ハンドルを備える掃除機の掃除機本体が縦向きのスティックタイプであることを第６の特徴とする。
【発明の効果】
【００２３】
本発明によると、火山灰等を含む粒径の細かい砂塵を、フィルターの目詰まりや集塵物による閉塞及び圧力損失などによる吸引力の低下を抑制しながら、連続集塵できる小型軽量の掃除機を実現することができる。
【００２４】
すなわち、本発明によると、火山灰等を含む粒径の細かい砂塵を捕集する細塵フィルターを送風機の後段側に設置することにより、細塵フィルターの大きさや表面積など設置自由度が高まり、掃除機本体の大きさを小型化して細塵フィルターの容量及び表面積を大きく確保できる。また細塵フィルターと集塵袋を上下に連結させ別々に備えることにより、必然的に細塵フィルターのクリーニングと集塵物の排出ができ、細塵フィルターの目詰まりが抑制できるとともに、捕集した火山灰等の捕集塵による閉塞及び圧力損失を抑制できる。この結果、送風機のモーターへの負荷や発熱も抑えられ、モーターが故障することもなく、連続して火山灰等の清掃ができる小型軽量の火山灰等の除去用掃除機を実現できる。
【００２５】
社会的副次効果として、大量の水道水による流し洗いがなくなり水資源の節約につながる。また、降灰地域では気温の高い夏場も窓を開けられないことが多く、エアコンの稼働率が高いが、本発明の掃除機を用いることで、玄関先やベランダなど家回りの清掃が簡単に行え、これにより降灰時以外は窓を開けても火山灰の室内への入り込みがなくなるため、窓を開けてエアコンの使用を抑えることができる。これにより電気エネルギーの節約にもつながる。
【図面の簡単な説明】
【００２６】
【図１】本発明に係る火山灰等の除去用掃除機を示す構成図、
【図２】図１に示す掃除機の吸気から排気までを示す概略構造図、
【図３】逆止弁の作用を示す要部断面図、
【図４】従来の一般的掃除機における吸気から排気までを示す概略構造図である。
【発明を実施するための形態】
【００２７】
以下、本発明を実施するための最良の形態について図面を参照しながら説明する。本発明は、火山灰等の粒径の細かい砂塵を吸引してもフィルターの目詰まりや吸引力の低下を生じることなく、かつ排空気がきれいになるという目的を、小型軽量で家庭向けの掃除機として実現した。図１において、符号１は火山灰等の除去用掃除機を示している。
【００２８】
図１に示すように、火山灰等の除去用掃除機（以下、「掃除機」という）１は、掃除機本体２が、略上下を向く送風機３と、送風機３の前端側の首振り可能な吸込ヘッド４と、送風機３の後端に設けられた操作ハンドル５を備えている。すなわち、本実施形態における掃除機１は、自立可能ないわゆるスティックタイプの形状とされている。
【００２９】
図１および図２に示すように、送風機３の筐体６内部には先端側に羽根７と後端側にモーター８が配置されている。送風機３の筐体６の前端に設けられた吸込口９には吸込管１０が連結され、吸引管１０の先端に首部１１を介して前記吸込ヘッド４が首振り可能に支持されている。吸込ヘッド４の下面には先端吸込口１２が設けられ、先端吸込口１２にはブラシ１３が配置されている。操作ハンドル５の後端には把持部１４が設けられている。符号１５は後述する排気カバー２５の上端隅部に設けられた紐部であり、紐部１５を把持部１４のフック部に掛けることで、後述するフィルター（細塵フィルター２２を含む）の形状を起立姿勢に保持できるようになっている。
【００３０】
送風機３の筐体６内部には、羽根７の前段側で吸引口９との間に、吸込ヘッド４から吸引された火山灰等を含む砂塵のうち、粒径の粗い砂塵（以下、「粗塵」という）を捕集する粗塵フィルター１６が収納配置されている。粗塵フィルター１６は、粒径２ｍｍを超える粗塵を捕集し、すなわち粒径２ｍｍ以下の砂塵が透過できるサイズのメッシュを備えている。例えば金属（ステンレス）などの金網によるメッシュフィルターで構成される。
【００３１】
送風機３の筐体６の側面に設けられた排気口１７には排気管１８が連結され、排気管１８の先端には逆止弁１９を介して上側連結管２０と下側連結管２１が接続されている。上側連結管２０には略上下を向いて粒径の細かい砂塵（以下、「細塵」という）を捕集する細塵フィルター２２が着脱可能に装着されている。下側連結管２１には、細塵フィルター２２で捕集された細塵を集塵するための集塵袋２３がバンド２４等により着脱可能に装着されている。
【００３２】
細塵フィルター２２は、粗塵フィルター１６を透過した粒径２ｍｍ以下で、粒径０．３μｍ以上の細かい粒子を捕集できる性能を備えている。例えば布フィルターとＨＥＰＡフィルターなど複数種類のフィルターを積層してなり、最外側がビニールなどの樹脂／プラスチック系からなる軽量で有頭筒状の排気カバー２５により被覆されている。排気カバー２５の下端には排空気口２６が形成されている。したがって、細塵フィルター２２で細塵が捕集された後の排空気は矢印のように排気カバー２３の内側に沿って流れ、下端の排空気口２６から排気されるようになっている。
【００３３】
逆止弁１９は、送風機３の吸引動作時（運転時）に、風圧により弁体２７（図２）が作動して下側連結管２１の入口を閉じ、送風機３の吸引動作停止時（運転停止時）にはスプリング２８の復元力により弁体２７（図３）が元の位置に復帰して、下側連結管２１の入口を開くように機能する。したがって、送風機３の吸引動作時には、風圧により吸引風Wが排気管１８から上側連結管２０を通り、細塵フィルター２２側へ送られる一方、送風機３の吸引動作停止時には、逆止弁１９の弁体２７が元の位置に復帰して、下側連結管２１の入口を開き、図３の点線で示すように、細塵フィルター２２で捕集された捕集物Ａが、上側連結管２０から下側連結管２１を通り、集塵袋２３に落下し集塵されるようになっている。
【００３４】
上記細塵フィルター２２は、送風機３の筐体６内部に収納配置せずに、同筐体６の外側に配置したことにより、送風機３周辺の構造を大きくすることなく、したがって、送風機３ひいては掃除機本体２の大きさと重量を小型軽量化しながら、フィルターの大きさと表面積をある程度自由に大きくすることができる。このため、フィルターを大きくできる分、集塵容量も大きくでき、同時に集塵物による閉塞や圧損を抑制でき、更にフィルター表面積が大きくなった分、目詰まりも生じにくくなるため、集塵能力は格段に高くなる。
【００３５】
なお、集塵袋２３は、下側連結管２１に装着可能な袋または容器であればよく、紙パック、ビニール製、プラスチック製等、材質は特に問わない。例えば、スーパーのビニール袋や行政から無償配布される火山灰収集袋などをそのまま取り付けて使用することができる。また、集塵袋２３を下側連結管２１にしっかり固定でき、集塵袋２３の強度が十分であれば、逆止弁１９は必ずしも必要ない。この場合、集塵袋２３内は閉空間であるため排気管１８を通る吸引風は上側連結管２０側へ流れ、細塵フィルター２２へと向かう。
【００３６】
本発明に係る掃除機の形状は、スティックタイプでもキャニスタータイプでも構わない。本実施形態では、屋外での作業性や使い勝手の良さ及び排空気による火山灰の拡散を少しでも抑制するために、送風機３を地表より高いところに配置できるスティックタイプを示した。
【００３７】
次に図１ないし図３を用いて吸気から排気に至る吸引風の流れに基づいて掃除機１の作用を具体的に説明する。
【００３８】
作業者が掃除機１の図示しないスイッチを入れ、送風機３のモーター８を作動させて羽根７を回転させると、吸込ヘッド４の先端吸込口１２から吸い込まれた空気は、送風機３の筐体６内部を通り、筐体６の排気口１７から排気管１８に排出されて、そこから逆止弁１９、上側連結管２０、細塵フィルター２２に案内され、排気カバー２５下端の排空気口２６から排気される。逆止弁１９の管内では、排気管１８からの圧力風によりスプリング２８の付勢力に抗して弁体２７が図２の時計回りに回動し、下側連結管２１の入口を常時閉じるように作動する。
【００３９】
その結果、送風機３の吸引動作中、吸込ヘッド４の先端吸込口１２から吸引された火山灰、ゴミ、砂塵を含む吸引風Ｗは、送風機３の前段側に配置された最初の粗塵フィルター１６で大き目のゴミと砂塵がまず捕集される。粗塵フィルター１６のメッシュサイズが２ｍｍ以下の含む砂塵が透過できるサイズであるため、火山灰の多くは粗塵フィルター１６で捕集されることなく送風機３側の羽根７へと送られ、そこから排気管１８、上側連結管２０に案内され、後段の細塵フィルター２２で捕集される。
【００４０】
このため、送風機３の前段での火山灰等による粗塵フィルター１６の閉塞、目詰まりなどの問題が生じず、高い吸引力を維持したまま火山灰等を吸引できる。これにより、道路端や通路の隅などに吹き溜まりとなって厚く積もった火山灰は先端のブラシ１３で掻きほぐしながら吸引すると効率よく清掃することができる。
【００４１】
なお、細塵フィルター２２の材質、構造、サイズなどは排空気のダストレベルを研究し決定しているため、基本的に細塵フィルター２２から全方向へ排出される排空気のダストレベルは一般の掃除機同様ではあるが、作業者の顔の方に直接排気が排出されると感覚的に不快なため、細塵フィルター２２を、空気を通さない軽量の排気カバー２５で被覆した二重構造にして、送風機３側または作業者の足元方向に排気が流れるようにした。
【００４２】
次に、清掃が完了し送風機３を停止すると、細塵フィルター２２の内圧が下がり、図３に示すように、スプリング２８の復元力により弁体２７が元の位置に復帰して、下側連結管２１の入口が開かれる。これにより、細塵フィルター２２内に捕集された集塵物Ａは上側連結管２０から下側連結管２１の中を点線のように落下し、下方の集塵袋２３内へそのまま集められる。またこの時、細塵フィルター２２が振動したり多少縮んだりすることにより、細塵フィルター２２の側壁に付着した火山灰等が払い落とされる。すなわち、集塵物の除去とフィルターのクリーニングが必然的に行われ吸引力の維持ができる。
【００４３】
送風機３に対し外付けした細塵フィルター２２と集塵袋２３は逆止弁１９の上側連結部２０と下側連結部２１に容易に脱着できるため、細塵フィルター２２の交換または洗浄が簡単に行える。また、集塵袋２３は取り外してそのまま処分できる。
【００４４】
本発明によると、降灰地域の特に都市部において、家庭のベランダや玄関先だけでなく、大型清掃車（ロードスイーパー）によって除去できなかった火山灰、ロードスイーパーが通れない狭い路地裏及び各家庭や事業所周辺などの火山灰を、掃き掃除あるいは大量の水道水を用いた流し洗いを行うことなく、一般家庭用の掃除機並の大きさをもつ本発明の掃除機によって、効率よく除去、清掃することが可能となった。
【００４５】
また、本発明によると、従来の清掃方法では、火山灰の粒子が細かく軽いため、清掃中に火山灰が舞い上がり、作業者及び周辺にいる人が吸込んでしまう健康被害の恐れが心配されたが、かかる心配がなくなった。さらに貴重な水道水の使い過ぎにより、水不足が発生するという心配もなくなった。
【００４６】
そして、本発明によれば、火山灰が目詰まりしにくい目の粗い粗塵フィルターを送風機の前段側に、火山灰を収集する目の細かい細塵フィルターを送風機の後段側に配置したことにより、火山灰の目詰まりによる吸引力の低下を防ぎ、粒子の細かい火山灰に対する捕集能力を向上させることができ、細塵フィルターを掃除機本体に外付けすることで掃除機本体の構造を小型軽量化して、持ち運び易く狭い所での使い勝手が良く、お年寄りや子供にも扱い易く、火山灰清掃に適した家庭用掃除機を実現することができた。
【産業上の利用可能性】
【００４７】
本発明に係る火山灰等の除去用掃除機は、家庭用掃除機の感覚で手軽に快適に火山灰を清掃できる掃除機として利用可能である。また、火山灰だけでなく一般の屋外掃除機としてはもちろん花粉地域の花粉除去用掃除機としても利用できる。また小型軽量で持ち運びや収納性が良いため、工事現場などでの業務用集塵機としての利用も期待できる。
【符号の説明】
【００４８】
１  掃除機（火山灰等の除去用掃除機）
２  掃除機本体
３  送風機
４  吸込ヘッド
５  操作ハンドル
６  送風機の筐体
７  羽根
８  モーター
９  吸込口
１０  吸込管
１１  首部
１２  先端吸込口
１３  ブラシ
１４  把持部
１５  紐部
１６  粗塵フィルター
１７  排気口
１８  排気管
１９  逆止弁
２０  上側連結管
２１  下側連結管
２２  細塵フィルター
２３  集塵袋
２４  バンド
２５  排気カバー
２６  排空気口
２７  弁体
２８  スプリング
Ａ  集塵物
Ｗ  吸引風
Ｇ  地面
【図１】
2016007362.tif 000003
【図２】
2016007362.tif 000004
【図３】
2016007362.tif 000005
【図４】
2016007362.tif 000006